(57)【要約】【課題】従来の人工土壌構造の機能を備えるばかりでなく、より簡単にかつ効率よく水を供給することができる新規な人工土壌構造を提供する。【解決手段】上面に溝部１５が形成された保水板１１と、前記溝部１５を含む保水板１１の上面に一体に敷設された布状物２０と、前記溝部１５内に収容された散水管３０とからなり、前記布状物２０を介して前記保水板１１の上部に床土４０を積層したものであって、前記保水板１１は籾殻又はポリウレタンもしくは竹粉末によって成形することができ、前記溝部１５は略十字型に形成するとよい。【選択図】図１
2005348669.tif 000002
【特許請求の範囲】
【請求項１】
上面に溝部（１５）が形成された保水板（１１）と、
前記溝部を含む保水板の上面に一体に敷設された布状物（２０）と、
前記溝部内に収容された散水管（３０）とからなり、
前記布状物を介して前記保水板の上部に床土（４０）を積層したことを特徴とする人工土壌構造。
【請求項２】
前記保水板が、籾殻又はポリウレタンもしくは竹粉末によって成形された請求項１に記載の人工土壌構造。
【請求項３】
前記溝部が、略十字型に形成されている請求項１又は２に記載の人工土壌構造。
【発明の詳細な説明】
【技術分野】
【０００１】
本発明は、屋上や屋根、ベランダ等において、セダムや岩垂草、芝生等を植生して好適に緑化することができる人工土壌構造に関する。
【背景技術】
【０００２】
都市部では、土地の大半がビルやマンション等で占められ、緑地の減少が進んで地球温暖化の原因となる二酸化炭素が増え続けており、環境面において大きな問題となっている。そこで、近年では、都市部の緑化促進等の要請から、ビルあるいはマンション等の屋上やベランダ等に庭園を設けることが多くなっている。
【０００３】
このように、屋上やベランダ等の緑化を行う場合には、例えば、最下部に保水層を形成してその上面に不織布を敷設し、さらに該不織布の上面に床土を積層させてなる人工土壌構造を用いることが知られている（例えば、特許文献１参照。）。この従来の人工土壌構造にあっては、軽量でかつ高い保水性を備えているため、植生の管理を容易に行うことが可能となる。
【０００４】
ところで、上記のような人工土壌構造では、保水層に水を供給する場合、降雨によって自然に供給したり、別途散水装置等を外部に設ける必要がある。しかしながら、長期にわたって降雨がなければ、たとえ高い保水性を有していても充分な水分を得ることができないし、散水装置等を設けるための手間がかかってしまうおそれがあり、構成が煩雑となって、しかも効率よく保水層全体に適度な水を供給することが困難であった。そこで近年では、より簡単にかつ効率よく水を供給することができる人工土壌構造が求められている。
【特許文献１】特開２００３−３２５０３７号公報
【発明の開示】
【発明が解決しようとする課題】
【０００５】
本発明は前記の点に鑑みなされたものであり、従来の人工土壌構造の機能を備えるばかりでなく、より簡単にかつ効率よく水を供給することができる新規な人工土壌構造を提供するものである。
【課題を解決するための手段】
【０００６】
すなわち、請求項１の発明は、上面に溝部（１５）が形成された保水板（１１）と、前記溝部を含む保水板の上面に一体に敷設された布状物（２０）と、前記溝部内に収容された散水管（３０）とからなり、前記布状物を介して前記保水板の上部に床土（４０）を積層したことを特徴とする人工土壌構造に係る。
【０００７】
請求項２の発明は、前記保水板が、籾殻又はポリウレタンもしくは竹粉末によって成形された請求項１に記載の人工土壌構造に係る。
【０００８】
請求項３の発明は、前記溝部が、略十字型に形成されている請求項１又は２に記載の人工土壌構造に係る。
【発明の効果】
【０００９】
請求項１の発明に係る人工土壌構造よれば、上面に溝部が形成された保水板と、前記溝部を含む保水板の上面に一体に敷設された布状物と、前記溝部内に収容された散水管とからなり、前記布状物を介して前記保水板の上部に床土を積層したため、従来の人工土壌構造のように軽量でかつ高い保水性を有するばかりでなく、極めて簡単にかつ効率よく保水板全体に水を供給することが可能となる。したがって、天候や設置場所等に左右されることなく、保水板が常に所定の水分を維持することができ、適宜の場所において好適に緑化を行うことができる。
【００１０】
請求項２の発明によれば、請求項１において、前記保水板が、籾殻又はポリウレタンもしくは竹粉末によって成形されているため、より軽量でかつ高い保水性を容易に備えることができる。
【００１１】
請求項３の発明によれば、請求項１又は２において、前記溝部が、略十字型に形成されているため、保水板全体により効果的に水を供給することができる。
【発明を実施するための最良の形態】
【００１２】
以下添付の図面に従ってこの発明を詳細に説明する。
図１はこの発明の一実施例に係る人工土壌構造の断面図、図２は図１の人工土壌構造における土壌用マットの斜視図、図３は図２の土壌用マットの平面図、図４は散水管の斜視図、図５は図２の土壌用マットの他の実施例を表す平面図である。
【００１３】
図１ないし図３に示すように、この発明の人工土壌構造１０は、保水板１１と、布状物２０と、散水管３０とからなる土壌用マット５０の上部に床土４０を積層したものである。
【００１４】
保水板１１は、軽量で保水性を有する適宜の材料によって略平板状に成形されたものであって、その上面には溝部１５が形成されている。この保水板１１にあっては、その厚さや大きさ、溝部１５の形状や深さ等は用途に応じて適宜のものとされる。また、この保水板１１は、保水性を有するものであればどのような材料によって成形してもよく、特に、請求項２の発明として規定したように、籾殻又はポリウレタンもしくは竹粉末によって成形することによって、より軽量でかつ高い保水性を容易に備えることができる。
【００１５】
実施例では、籾殻とイソシアネート系接合剤を用いて、厚さを約３ｃｍ、縦と横の長さをそれぞれ約４０ｃｍ、溝部の深さと幅をそれぞれ約２ｃｍとして圧縮成形し、軽量で高い保水性を有するばかりでなく、腐りにくく耐久性に優れた保水板を得ることができた。なお、ポリウレタンの場合も籾殻と同様の効果を期待することができ、特に廃棄ポリウレタンを再利用すれば経済的にも有利となる。また、竹粉末の場合は、雑草の成長等を抑制することができる。
【００１６】
布状物２０は、高い浸透性を有し、前記溝部１５を含む保水板１１の上面に一体に敷設されるものであって、例えば、圧縮成形後で接合剤が乾ききっていない状態の保水板１１に敷設して接着したり、ニードルパンチ等の公知の手段によって張り付けられる。このように、保水板１１の上面に布状物２０を敷設すれば、後述の散水管３０等によって散水された水は、主に浸透性の高い前記布状物２０を伝って広がることとなり、より速く保水板１１全体に水を浸透させることが可能となる。なお、布状物２０には、綿１００％の不織布やガーゼ等の浸透性に優れた適宜の布状物を使用することができる。
【００１７】
散水管３０は、ポリエチレン等の公知の合成樹脂によって形成され、図３及び図４に示すように、円筒形の本体部３１と、該本体部３１の適宜の位置に複数設けられた孔部３２とからなり、前記溝部１５内に収容されるように構成される。また、この散水管３０は、前記溝部１５に固定されるように構成することが好ましく、これにより、別途固定部材等を設けなくても、該散水管３０を簡単にかつ均等に配置することができる。実施例の散水管３０は、本外部３１の外径が約１．６ｃｍのポリエチレン製チューブであり、本体部３１より大径かつ溝部１５の幅と略等しく形成された固定部３３によって溝部１５内に固定して収容可能とされている。
【００１８】
床土４０は、セダムや岩垂草、芝生等が植生された人工土壌であって、例えば、図示のように切り芝４１と土層４２で構成され、前記布状物２０を介して保水板１１の上部に積層される。この床土４０としては、例えば、腐葉土や、パーライト等が混入された軽量の人工土壌等が使用される。
【００１９】
上記のように構成された人工土壌構造１０では、適宜の給水装置から水を供給することにより、その水が散水管３０の孔部３２から保水板１１の溝部１５に流出して布状物２０全体に浸透していくので、該布状物２０を介して簡単にかつ効率よく保水板１１全体に水を供給することができる。
【００２０】
また、散水管３０を溝部１５内に収容することで、例えば、人が上に乗る等して散水管３０の上方から荷重がかかったとしても、該散水管３０の形状は変形せず、好適に水を流通させることができる。それに加え、土壌用マット５０の上面がほぼ平坦に形成されるので、積層される床土４０の上面を平らにすることができ、美観的に優れると共に、当該人工土壌構造１０上を歩行しても凹凸によってつまずくことがない。特に、床土４０を積層する際に、土層４２を少なく積層又は全く積層せずに切り芝４１を保水板１１上部に積層しても、その上面を平らにすることができ、設置が容易となる。
【００２１】
また、この人工土壌構造１０にあっては、特に、図示しかつ請求項３の発明として規定したように、溝部１５を略十字型に形成することが好ましい。実施例においは、図示のように、保水板１１の中央部分に、直交する２つの溝部１５Ａ及び１５Ｂからなる十字型の溝部１５が形成されており、一側の溝部１５Ａ内に散水管３０が収容されるように構成される。この構成により、当該人工土壌構造１０に水を供給した際には、散水管３０の孔部３２から一側の溝部１５Ａに流出した水が、該溝部１５Ａから布状物２０に浸透していくとともに、前記溝部１５Ａに直交する溝部１５Ｂにも流通して該溝部１５Ｂ側から布状物２０に浸透していくので、多方向から布状物２０全体に水が浸透することとなって、保水板１１全体により効果的に水を供給することが可能となる。
【００２２】
なお、本発明の人工土壌構造は、上記実施例で述べた構成に限るものではなく、発明の趣旨を逸脱しない範囲内において種々の変更を付加して実施することができる。例えば、実施例では一の土壌用マット５０を用いた構成を説明したが、広い範囲で当該人工土壌構造を設置する場合等では、図５に図示したように、その設置場所の広さ等の用途に応じて複数の土壌用マット５０を適宜並設し、その上部に床土（図示せず）を積層した人工土壌構造１０Ａが使用される。
【００２３】
この人工土壌構造１０Ａでは、図示のように、並設する際に複数の土壌用マット５０の各溝部１５が連接されるとともに、一側の各溝部１５Ａ内に散水管３０が収容される。そして、当該人工土壌構造１０Ａの端部の土壌用マット５０Ａにおいて、一側の溝部１５Ａに直交する溝部１５Ｂ内に、接続部材３５を介して前記散水管３０に接続された散水管３０Ａが収容される。このように散水管３０を配置することにより、複数の土壌用マット５０を並設した場合であっても、簡易な構成で前記各土壌用マット５０全体に水を行き渡らせることが可能となる。したがって、広い範囲に設置した人工土壌構造１０Ａにおいても、極めて効果的に水の供給を行うことができる。
【図面の簡単な説明】
【００２４】
【図１】この発明の一実施例に係る人工土壌構造の断面図である。
【図２】図１の人工土壌構造における土壌用マットの斜視図である。
【図３】図２の土壌用マットの平面図である。
【図４】散水管の斜視図である。
【図５】図２の土壌用マットの他の実施例を表す平面図である。
【符号の説明】
【００２５】
１０  人工土壌構造
１１  保水板
１５  溝部
２０  布状物
３０  散水管
４０  床土
５０  土壌用マット
【図１】
2005348669.tif 000003
【図２】
2005348669.tif 000004
【図３】
2005348669.tif 000005
【図４】
2005348669.tif 000006
【図５】
2005348669.tif 000007